(57)【要約】【課題】屋外活動の予定日が、屋外活動に適しているか否かの判断を支援する、屋外活動支援システムを提供する。【解決手段】予測対象の地点および日にちにおける降水量および風速に関する予測データを取得する予測データ取得部２３と、予測対象の地点および日にちに対応する過去の降水日数および平均風速に関する過去データを取得する過去データ取得部２３と、降水量に関する予測データについての偏差値を降水量予測指数として算出するとともに、風速に関する予測データについての偏差値を風速予測指数として算出する演算部２１と、予測データ、過去データ、降水量予測指数および風速予測指数を格納する記憶部２２と、降水量予測指数および過去の降水日数を雨の情報として提示するとともに、風速予測指数および過去の平均風速を風の情報として提示する提示部２４とを備える。【選択図】図３
2019184554.tif 000002
【特許請求の範囲】
【請求項１】
予測対象の地点および日にちにおける降水量および風速に関する予測データを取得する予測データ取得部と、
前記予測対象の地点および日にちに対応する過去の降水日数および平均風速に関する過去データを取得する過去データ取得部と、
前記降水量に関する前記予測データについての偏差値を降水量予測指数として算出するとともに、前記風速に関する前記予測データについての偏差値を風速予測指数として算出する演算部と、
前記予測データ、前記過去データ、前記降水量予測指数および前記風速予測指数を格納する記憶部と、
前記降水量予測指数および前記過去の降水日数を雨の情報として提示するとともに、前記風速予測指数および前記過去の平均風速を風の情報として提示する提示部とを備えることを特徴とする、屋外活動支援システム。
【請求項２】
前記演算部は、前記過去の降水日数についての偏差値を降水日過去指数として算出するとともに、前記過去の平均風速についての偏差値を風速過去指数として算出し、前記降水量予測指数および前記降水日過去指数を合算することによって降水スコアを算出するとともに、前記風速予測指数および前記風速過去指数を合算することによって風速スコアを算出し、前記降水スコアおよび前記風速スコアのそれぞれを複数のランクに区分けし、
前記提示部は、前記降水スコアのランクを前記雨の情報として提示するとともに、前記風速スコアのランクを前記風の情報として提示することを特徴とする、請求項１に記載の屋外活動支援システム。
【請求項３】
前記演算部は、前記降水スコアと前記風速スコアとの平均を取ることによって総合スコアを算出し、前記総合スコアを複数のランクに区分けし、
前記提示部は、前記総合スコアのランクを風雨の情報として提示することを特徴とする、請求項２に記載の屋外活動支援システム。
【請求項４】
前記提示部は、前記情報を月めくりのカレンダー形式で提示することを特徴とする、請求項１から請求項３のいずれか１項に記載の屋外活動支援システム。
【請求項５】
前記提示部は、前記情報に関連付けた色付きで提示することを特徴とする、請求項１から請求項４のいずれか１項に記載の屋外活動支援システム。
【請求項６】
前記予測データは、アンサンブル予報によって得られることを特徴とする、請求項１から請求項５のいずれか１項に記載の屋外活動支援システム。
【請求項７】
前記屋外活動は、無人飛翔体の飛行操縦であることを特徴とする、請求項１から請求項６のいずれか１項に記載の屋外活動支援システム。
【請求項８】
前記屋外活動は、釣りであることを特徴とする、請求項１から請求項６のいずれか１項に記載の屋外活動支援システム。
【発明の詳細な説明】
【技術分野】
【０００１】
この発明は、屋外活動支援システムに関する。
【背景技術】
【０００２】
屋外活動は、実施の可否や安全性の面で天気の影響を大きく受けるため、天気予報や気象情報を屋外活動を実施しようとする人に提供することは以前から行われている（例えば、特許文献１）。
【０００３】
屋外活動の１つとして、無線技術などを用いた遠隔操作によって、上空を移動したり、所定の位置および高度で飛行姿勢を維持したりできる無人飛翔体の飛行操縦が知られている。このような無人飛翔体には、モータによって回転駆動される回転翼が複数設けられており、各回転翼の回転数を個々に制御することによって、無人飛翔体を上下・左右・前後に移動させたり、飛行姿勢を維持させたりすることが可能になっている（例えば、特許文献２）。
【先行技術文献】
【特許文献】
【０００４】
【特許文献１】特開２０１６−８０５５２号公報
【特許文献２】特開２０１８−１５３５８３号公報
【発明の概要】
【発明が解決しようとする課題】
【０００５】
無人飛翔体は、一般的に、ジャイロセンサなどの各種センサと、各種センサに基づいて機体の傾きや動きや現在位置を判断するフライトコントローラとを搭載している。
【０００６】
無人飛翔体に搭載されている各種センサやフライトコントローラは、精巧な電子部品であるので、雨に弱い。そのため、雨中において無人飛翔体を飛行させることは、機体の故障につながる。また、無人飛翔体は、回転翼の回転数でしか揚力を調整できないため、風の影響を受けやすく、機体の制御が失われることがある。
【０００７】
このように、雨および／または風が、屋外活動に悪影響を与えるため、屋外活動の予定日が、屋外活動に問題がない天気（風雨）であるか否かの情報が極めて重要である。
【０００８】
ところで、気象庁や気象予報機関からは、週間および月間の天気予報が提供されているが、当該天気予報の情報は、天気（晴れや曇りや雨）、気温（最低気温や最高気温）あるいは降水確率などの一般向けであって、或る屋外活動に適している否かに特化したものではない。そのため、或る屋外活動を予定する人が、一般向けの天気予報の情報に基づいて、屋外活動の予定日が屋外活動に適しているか否かを、的確に判断することは困難である。
【０００９】
したがって、この発明の解決すべき技術的課題は、屋外活動の予定日が、屋外活動に適しているか否かの判断を支援する、屋外活動支援システムを提供することである。
【課題を解決するための手段】
【００１０】
上記技術的課題を解決するために、この発明によれば、以下の屋外活動支援システムが提供される。
【００１１】
すなわち、この発明に係る屋外活動支援システムは、
予測対象の地点および日にちにおける降水量および風速に関する予測データを取得する予測データ取得部と、
前記予測対象の地点および日にちに対応する過去の降水日数および平均風速に関する過去データを取得する過去データ取得部と、
前記降水量に関する前記予測データについての偏差値を降水量予測指数として算出するとともに、前記風速に関する前記予測データについての偏差値を風速予測指数として算出する演算部と、
前記降水量予測指数および前記過去の降水日数を雨の情報として提示するとともに、前記風速予測指数および前記過去の平均風速を風の情報として提示する提示部とを備えることを特徴とする。
【発明の効果】
【００１２】
この発明によれば、雨および風に関する予測データおよび過去データをそれぞれ適切に処理することによって、降水量予測指数および過去の降水日数が雨の情報として提示されるとともに、風速予測指数および過去の平均風速が風の情報として提示されるので、屋外活動の予定日が、屋外活動に適しているか否かの判断を支援できる。
【図面の簡単な説明】
【００１３】
【図１】この発明の一実施形態に係る屋外活動支援システムの構成を示す図である。
【図２】図１に示した屋外活動支援システムでのユーザ端末で表示される表示例である。
【図３】図１に示した屋外活動支援システムでの情報提示のフローを説明する図である。
【図４】図１に示した屋外活動支援システムでの情報提示の一例を示す図である。
【図５】図１に示した屋外活動支援システムでの情報提示例の一部拡大図である。
【図６】図１に示した屋外活動支援システムでの情報提示の他の例を示す図である。
【発明を実施するための形態】
【００１４】
図１から図５を参照しながら、一実施形態に係る、無人飛翔体の飛行操縦を支援する屋外活動支援システム１を例示として説明する。
【００１５】
図１は、この発明の一実施形態に係る屋外活動支援システム１の構成を示す図である。図２は、図１に示した屋外活動支援システム１でのユーザ端末４０で表示される表示例である。図３は、図１に示した屋外活動支援システム１での情報提示のフローを説明する図である。図４は、図１に示した屋外活動支援システム１での情報提示の一例を示す図である。図５は、図１に示した屋外活動支援システム１での情報提示例の一部拡大図である。
【００１６】
無人飛翔体は、遠隔操作や自動操縦によって飛行する小型の飛翔体であり、複数の回転翼を備える。無人飛翔体は、一般的に、ジャイロセンサ、加速度センサ、気圧センサあるいはＧＰＳセンサなどの各種センサと、フライトコントローラとを搭載している。無人飛翔体では、これらの各種センサとフライトコントローラとによって、機体の傾きや動きや現在位置が判断されて、機体の自動制御がなされている。
【００１７】
各種センサやフライトコントローラを搭載した無人飛翔体は、雨や風の影響を受けやすいため、飛行予定日の選択が重要である。無人飛翔体の飛行支援システム１は、無人飛翔体の飛行予定日が、飛行に適しているか否かの判断を支援するためのものである。
【００１８】
図１に示すように、屋外活動支援システム１は、気象データ提供サーバ１０と、屋外活動支援装置２０と、ユーザ端末４０と、これらを有線または無線で接続する通信ネットワーク（例えばインターネット）３とを備える。
【００１９】
気象データ提供サーバ１０は、外部の気象データ提供機関（気象庁、日本気象協会、および、その他の民間の気象予報機関など）のサーバである。気象データ提供サーバ１０は、各種の気象データをデータベース１２に格納しているとともに、屋外活動支援装置２０からの要求に応じて、各種の気象データの中から必要な気象データを適宜に提供する。気象データ提供サーバ１０は、過去データおよび予測データを無償または有償で提供するサーバである。
【００２０】
屋外活動支援装置２０は、例えば、屋外活動支援システム１を運営する運営主体に設置されており、運営主体の管理者によって管理されている。屋外活動支援装置２０は、外部の気象データ提供サーバ１０からのデータを取得する入力部２３と、各種の演算を行うとともに各種の制御を行う制御部２１と、各種のデータを格納する記憶部２２と、各種の情報を出力する出力部２４とを備える。
【００２１】
入力部２３は、通信手段を有して、気象データ提供サーバ１０から各種データを入力するためのインターフェイスである。入力部２３は、気象データ提供サーバ１０から、予測対象の地点および日にちにおける降水量および風速に関する予測データを取得する予測データ取得部として働く。それとともに、入力部２３は、予測対象の地点および日にちに対応する過去の降水日数および平均風速に関する過去データを取得する過去データ取得部として働く。
【００２２】
制御部２１は、ＣＰＵ（Central Processing Unit：中央処理装置）である。制御部２１は、入力部２３での入力動作と、記憶部２２に対する書き込み及び読み出しの動作と、出力部２４からの出力動作とを制御する。制御部２１は、降水量に関する予測データについての偏差値を降水量予測指数として算出するとともに、風速に関する予測データについての偏差値を風速予測指数として算出する演算部として働く。
【００２３】
制御部２１は、過去の降水日数についての偏差値を降水日過去指数として算出するとともに、過去の平均風速についての偏差値を風速過去指数として算出する演算部として働く。制御部２１は、降水量予測指数および降水日過去指数を合算することによって降水スコアを算出するとともに、風速予測指数および風速過去指数を合算することによって風速スコアを算出する演算部として働く。制御部２１は、降水スコアおよび風速スコアのそれぞれを複数のランクに区分けする演算部として働く。
【００２４】
制御部２１は、降水スコアと風速スコアとの平均を取ることによって総合スコアを算出する演算部として働く。制御部２１は、総合スコアを複数のランクに区分けする演算部として働く。
【００２５】
記憶部２２は、各種のデータや情報の書き込みおよび読出しが可能なメモリである。記憶部２２は、ＲＡＭ（Random Access Memory）やＲＯＭ(Read Only Memory)などのメインメモリ（主記憶装置）、ＨＤＤ（Hard Disk Drive）やＳＳＤ（Solid State Drive）やフラッシュメモリなどの補助記憶装置などから構成されている。記憶部２２のＲＯＭには、制御部２１が各種の演算処理を実行するためのプログラムが格納される。記憶部２２の補助記憶装置には、例えば、降水量および風速に関する予測データ、過去の降水日数および平均風速に関する過去データ、降水量予測指数、風速予測指数、降水日過去指数、風速過去指数、降水スコア、風速スコアおよび総合スコアが格納される。
【００２６】
出力部２４は、通信手段を有して、記憶部２２に格納された各種の情報を外部のユーザ端末に出力するためのインターフェイスである。出力部２４は、降水量予測指数および過去の降水日数を雨の情報として提示するとともに、風速予測指数および過去の平均風速を風の情報として提示する提示部として働く。出力部２４は、降水スコアのランクを雨の情報として提示するとともに、風速スコアのランクを風の情報として提示する提示部として働く。出力部２４は、総合スコアのランクを風雨の情報として提示する提示部として働く。出力部２４は、雨の情報、風の情報または風雨の情報を月めくりのカレンダー形式で提示する提示部として働く。出力部２４は、雨の情報、風の情報または風雨の情報を色付きで提示する提示部として働く。
【００２７】
ユーザ端末４０は、コンピュータ、スマートフォンやタブレット端末や携帯電話端末のようなモバイル端末、ウェアラブル端末などの通信可能な端末である。ユーザ端末４０は、キーボードやタッチパネルや音声入力のような入力操作部と、屋外活動支援装置２０から出力された各種の情報などを表示させるための表示部４２と、外部と通信する通信手段とを備える。表示部４２は、例えば液晶ディスプレイや有機ＥＬディスプレイなどからなる。
【００２８】
図２に示すように、ユーザ端末４０の表示部４２には、この屋外活動支援システム１を利用するために必要な情報や、雨の情報、風の情報または風雨の情報が提示（すなわち表示）される。図２（Ａ）では、例えば、すでに入会しているユーザに対してログインするためのユーザＩＤやパスワードの入力を求めたり、新規の入会を促したりする画面が表示される。図２（Ｂ）では、例えば、新規入会を希望するユーザに対して、ユーザの属性情報の入力を促す画面が表示される。図２（Ｃ）では、例えば、予測対象の地点の選択画面と、図４に示すような雨の情報、風の情報または風雨の情報とが表示される。図２（Ｄ）では、例えば、管理者用の情報や、ユーザの登録情報変更に関する情報が表示される。
【００２９】
次に、図３から図５を参照しながら、屋外活動支援装置２０における処理について説明する。
【００３０】
初期値を少しだけずらして何通りも計算した結果を統計的に処理して全体の傾向をつかむ手法は、アンサンブル予報として気象庁などから提供されている。アンサンブル予報では、各々の初期値で計算した結果をメンバーと言い、週間アンサンブル予報では２７メンバーで、1ヶ月アンサンブル予報では５０メンバーで計算している。1ヶ月アンサンブル予報では、５０メンバーのアンサンブル予測データを平均したアンサンブル平均を算出することによって得られた平均的な気象状態の予測が、気象庁などから提供されている。
【００３１】
これに対して、本発明では、各日にちに対して所定メンバー数のアンサンブル予測データを基にして偏差値を算出して、指数化している。すなわち、1ヶ月の降水量については、表１に示すように、各日にちに対して、予測降水量（ｍｍ）の５０メンバーのアンサンブル予測データの平均および標準偏差を基にして偏差値を算出して、当該偏差値を降水量予測指数としている。
【００３２】
【表１】
2019184554.tif 000003
【００３３】
表１に例示した1ヶ月分の降水量に関する５０メンバーのアンサンブル予測データは、気象庁などの気象データ提供サーバ１０から提供されている。したがって、ステップＳ１では、屋外活動支援装置２０の制御部２１は、各日にちについてのアンサンブル予測データを気象データ提供サーバ１０から取得して、記憶部２２に格納するように制御する。制御部２１は、各日にちについて、予測降水量（ｍｍ）の５０メンバーのアンサンブル予測データの合計値（例えば１日目の１０５．２など）を算出する。制御部２１は、平均（例えば１３０．８）および標準偏差（例えば６６．９）を算出するとともに、各日にちについて、偏差値を算出する。制御部２１は、当該偏差値を降水量予測指数として記憶部２２に格納する（ステップＳ１（Ａ））。
【００３４】
ところで、毎年、ある特定の日に特定の天気が現れやすいことが昔から知られており、前記特定の日は、気象特異日と言われている。諸説があってはっきりとした理由が分かっていないものの、気象特異日が存在するのも現実である。そこで、予測対象の地点および日にちに対応する過去データ（降水日および平均風速に関する１０年間の過去データ）が、飛行予定の適否の判断に適用される。
【００３５】
【表２】
2019184554.tif 000004
【００３６】
表２に示した過去の降水日数に関する１０年間の過去データは、気象庁などの気象データ提供サーバ１０から提供されている。したがって、屋外活動支援装置２０の制御部２１は、各日にちについての降水日数の過去データを気象データ提供サーバ１０から取得して、記憶部２２に格納するように制御する。制御部２１は、過去の降水日数について、平均（例えば２．８）および標準偏差（例えば１．５）を算出するとともに、各日にちについて、偏差値を算出する。制御部２１は、当該偏差値を降水日過去指数として記憶部２２に格納する（ステップＳ１（Ｂ））。
【００３７】
このように、ステップＳ１では、制御部２１は、降水量予測指数に関するステップＳ１（Ａ）と降水日過去指数に関するステップＳ１（Ｂ）とを実行するように制御するが、ステップＳ１（Ａ）およびステップＳ１（Ｂ）の順番は上記の逆であってもよい。
【００３８】
【表３】
2019184554.tif 000005
【００３９】
表３に示すように、降水スコアは、上記降水量予測指数および上記降水日過去指数を合算することによって算出される。
【００４０】
【表４】
2019184554.tif 000006
【００４１】
表４に示すように、降水スコアの最大値（１２５．０）から降水スコアの最小値（７５．８）を差し引いた差分の１０％（４．９）をレンジとして、ランク１（７５．８〜８０．７）からランク１０（１２０．１〜１２５．０）の１０個のランクが作成される。
【００４２】
【表５】
2019184554.tif 000007
【００４３】
表５に示すように、各日にちについての降水スコアが、ランク１（７５．８〜８０．７）からランク１０（１２０．１〜１２５．０）にそれぞれ区分けされる。
【００４４】
このように、ステップＳ３では、制御部２１は、各日にちについての降水スコアを算出するとともに、当該降水スコアを、１から１０の１０段階のランクに区分けし、区分けしたランク結果を記憶部２２に格納する。
【００４５】
同様に、風速についても、表６に示すように、各日にちに対して予測風速（ｍ／ｓ）の５０メンバーのアンサンブル予測データの平均および標準偏差を基にして偏差値を算出して、当該偏差値を風速予測指数としている。
【００４６】
【表６】
2019184554.tif 000008
【００４７】
表６に示した各日にちでの１０００ｈＰａの等圧面高度での予測風速に関する５０メンバーのアンサンブル予測データは、気象庁などの気象データ提供サーバ１０から提供されている。したがって、ステップＳ５では、屋外活動支援装置２０の制御部２１は、各日にちについてのアンサンブル予測データを気象データ提供サーバ１０から取得して、記憶部２２に格納するように制御する。制御部２１は、各日にちについて、予測風速（ｍ／ｓ）の５０メンバーのアンサンブル予測データの合計値（例えば１日目の２３３．６など）を算出する。制御部２１は、平均（例えば１７４．９）および標準偏差（例えば２７．２）を算出するとともに、各日にちについて、偏差値を算出する。制御部２１は、当該偏差値を風速予測指数として記憶部２２に格納する（ステップＳ５（Ａ））。
【００４８】
【表７】
2019184554.tif 000009
【００４９】
過去の降水量と同様に、表７に示した過去の平均風速（例えば地上１０ｍの高さ）に関する１０年間の過去データは、気象庁などの気象データ提供サーバ１０から提供されている。したがって、屋外活動支援装置２０の制御部２１は、各日にちについての平均風速の過去データを気象データ提供サーバ１０から取得して、記憶部２２に格納するように制御する。制御部２１は、過去の平均風速について、平均（例えば２．６）および標準偏差（例えば０．３７）を算出するとともに、各日にちについて、偏差値を算出する。制御部２１は、当該偏差値を風速過去指数として記憶部２２に格納する（ステップＳ５（Ｂ））。
【００５０】
このように、ステップＳ５では、制御部２１は、風速予測指数に関するステップＳ５（Ａ）と風速過去指数に関するステップＳ５（Ｂ）とを実行するように制御するが、ステップＳ５（Ａ）およびステップＳ５（Ｂ）の順番は上記の逆であってもよい。
【００５１】
【表８】
2019184554.tif 000010
【００５２】
表８に示すように、風速スコアは、上記風速予測指数および上記風速過去指数を合算することによって算出される。
【００５３】
【表９】
2019184554.tif 000011
【００５４】
表９に示すように、風速スコアの最大値（１２８．１）から風速スコアの最小値（７７．４）を差し引いた差分の１０％（５．１）をレンジとして、ランク１（７７．４〜８２．４）からランク１０（１２３．０〜１２８．１）の１０個のランクが作成される。
【００５５】
【表１０】
2019184554.tif 000012
【００５６】
表１０に示すように、各日にちについての風速スコアが、ランク１（７７．４〜８２．４）からランク１０（１２３．０〜１２８．１）にそれぞれ区分けされる。
【００５７】
このように、ステップＳ７では、制御部２１は、各日にちについての風速スコアを算出するとともに、当該風速スコアを、１から１０の１０段階のランクに区分けし、区分けしたランク結果を記憶部２２に格納する。
【００５８】
【表１１】
2019184554.tif 000013
【００５９】
表１１に示すように、各日にちについて、降水スコアのランクと風速スコアのランクとの平均を取ることによって総合スコアが算出され、総合スコアが１から１０の１０段階のランクに区分けされる。
【００６０】
したがって、ステップＳ１０では、制御部２１は、各日にちについて、ステップＳ３で得られた降水スコアのランクと、ステップＳ７で得られた風速スコアのランクとの平均を取ることによって総合スコアを算出する。そして、制御部２１は、総合スコアを１から１０の１０段階のランクに区分けし、区分けしたランク結果を記憶部２２に格納する。記憶部２２に格納されたランク結果は、提示部として働く出力部２４によって、風雨の情報として提示される。当該構成によれば、風雨に関する総合情報を簡潔に提供できる。
【００６１】
ユーザ端末４０の表示部４２では、例えば、図４に示すように、１ランクを示す「１」の数字から１０ランクを示す「１０」の数字が、〇△×□年▽◎月での風雨に関する総合情報として、月めくりのカレンダー形式で提示（すなわち表示）される。当該構成によれば、１ヶ月単位での風雨に関する総合情報を一つの表示画面で提供できる。
【００６２】
カレンダーの日にち欄３１には、ランクの具体的な数字に加えて、ランクの数字に対応した様々な背景部を表示することができる。日にち欄３１での様々な背景部は、風雨に関する総合情報（ランク結果）に関連付けた色付きにすることができる。該構成によれば、風雨に関する総合情報（ランク結果）を、視覚的に分かりやすく提供できる。
【００６３】
日にち欄３１での様々な背景部は、風雨に関する総合情報（ランク結果）に関連付けた、色（白黒も含む）や濃淡や明暗を連続した階調で変化させた配色、例えば１０段階で変化させたグラデーションにすることができる。当該構成によれば、風雨に関する総合情報（ランク結果）を、視覚的に分かりやすくて自然な視認性を提供できる。
【００６４】
また、図４および図５に示すように、総合スコアの基礎になった、雨の情報としての過去の降水日数および降水量予測指数の数字と、風の情報としての過去の平均風速および風速予測指数の数字とを、総合スコアの数字よりも小さく、雨の欄３２と風の欄３３とにそれぞれ提示（すなわち表示）することができる。当該構成によれば、１から１０のランクで区分けされた総合スコアの根拠を具体的に提供できる。
【００６５】
さらにまた、雨の欄３２において横軸に過去の降水日数を対応させるとともに縦軸に降水量予測指数を対応させて、過去の降水日数および降水量予測指数のデータと、当該データに対応するポイントとを、散布図的に表示することもできる。同様に、風の欄３３において横軸に過去の平均風速を対応させるとともに縦軸に風速予測指数を対応させて、過去の平均風速および風速予測指数のデータと、データに対応するポイントとを、散布図的に表示することもできる。当該構成によれば、１から１０のランクで区分けされた総合スコアの根拠を具体的に且つ直感的に提供できる。
【００６６】
次に、屋外活動支援システム１での情報提示の他の例を、図６を参照しながら説明する。
【００６７】
無人飛翔体においては、防水タイプのものも市販されているが、非常に高価であるため、多くの無人飛翔体は非防水タイプのものである。非防水タイプの無人飛翔体を雨中で飛行させると、各種センサやフライトコントローラがダメージを受けてしまう。また、小型の無人飛翔体は、機体が軽いため、風の影響を受け易い一方で、大型の無人飛翔体は、風の影響を受けにくい。
【００６８】
上記のように、無人飛翔体には様々なタイプのものがあるため、飛行予定の無人飛翔体によっては、必要とされる情報が、雨の情報または風の情報のどちらか一方で十分であることがある。そのため、図６に示した他の例に係る屋外活動支援システム１は、雨の情報と風の情報とを別個の独立した形で提示する。すなわち、ユーザ端末４０の表示部４２には、雨の情報としての降水スコアを雨の欄３２に提示（すなわち表示）するとともに、風の情報としての風速スコアを風の欄３３に提示（すなわち表示）する。当該構成によれば、必要とされる雨の情報および風の情報を適宜に提供できる。
【００６９】
図６に示した他の例においても、雨の欄３２での背景部および風の欄３３での背景部は、別個の独立したグラデーションで提示（すなわち表示）することができる。雨の情報としての過去の降水日数および降水量予測指数の数字と、風の情報としての過去の平均風速および風速予測指数の数字とを、総合スコアの数字よりも小さく、雨の欄３２と風の欄３３とにそれぞれ提示（すなわち表示）することができる。
【００７０】
この発明の具体的な実施の形態について説明したが、この発明は、上記実施形態および実施例に限定されるものではなく、この発明の範囲内で種々変更して実施することができる。
【００７１】
上記実施形態では、５０メンバーのアンサンブル予測データを基にした１ヶ月単位での情報を提示しているが、２７メンバーのアンサンブル予測データを基にした１週間単位での情報を提示することもできる。
【００７２】
上記実施形態では、雨の情報や風の情報や風雨の情報を、ユーザ端末４０の表示部４２に表示することによって提示しているが、降水スコアや風速スコアや総合スコアのランク数字を、ユーザ端末４０のスピーカから音声で知らせることによって提示する態様にすることもできる。
【００７３】
また、降水量予測指数などの各種指数の算出の基になったメンバー数および過去データ数、降水スコアなどのランクの区分け数は、あくまでも例示であって、上記以外の数量にすることもできる。
【００７４】
雨や風の影響を受ける陸上での屋外活動としては、上述した無人飛翔体の飛行操縦の他に、ゴルフやキャンプなどのレジャー、外壁塗装作業や高所でのクレーン作業や道路舗装などの建設・土木現場での作業などを例示することができる。また、雨や風の影響を受ける海上での屋外活動としては、釣りやサーフィンなどのレジャー、沿岸での漁業、沿岸工事での作業などを例示することができる。なお、この発明では、屋外活動がこれらに限定されないことは言うまでも無い。
【００７５】
例えば、風が吹く日に釣りを実施すると、釣り糸が風に流されて仕掛けの操作が困難である、釣り船が出ない、釣り自体が危険であるなどの問題がある。また、雨が降る日に釣りを実施すると、使用する装備道具やエサの管理に手間がかかる、足元が滑りやすくなって危険である、身体が濡れて体調不良になりやすいなどの問題がある。このように、屋外活動としての釣りは、雨および風の影響を受けやすい。そのため、屋外活動支援システム１は、屋外活動（釣り）の予定日が、屋外活動（釣り）に適しているか否かの判断を支援することができる。
【００７６】
また、例えば、屋外活動としての外壁塗装作業を雨の日に実施すると、塗膜の乾燥が不十分になったり、塗装した塗料が流れ落ちたりすることが起こって、本来の塗膜性能を発揮できなくなるなどの問題がある。例えば、屋外活動としての高所でのクレーン作業を風の強い日に実施すると、吊荷が風にあおられたり流されたりすることが起こって危険であるなどの問題がある。このように、屋外活動としての外壁塗装作業は、雨の影響を受けやすく、屋外活動としての高所でのクレーン作業は、風の影響を受けやすい。屋外活動には様々な態様があって、対象となる屋外活動によっては、必要とされる情報が、雨の情報または風の情報のどちらか一方で十分であるので、雨の情報と風の情報とを別個の独立した形で提示する図６に示した屋外活動支援システム１を適宜に使用することができる。
【００７７】
この発明および実施形態をまとめると、次のようになる。
【００７８】
この発明の一態様に係る屋外活動支援システム１は、
予測対象の地点および日にちにおける降水量および風速に関する予測データを取得する予測データ取得部２３と、
前記予測対象の地点および日にちに対応する過去の降水日数および平均風速に関する過去データを取得する過去データ取得部２３と、
前記降水量に関する前記予測データについての偏差値を降水量予測指数として算出するとともに、前記風速に関する前記予測データについての偏差値を風速予測指数として算出する演算部２１と、
前記予測データ、前記過去データ、前記降水量予測指数および前記風速予測指数を格納する記憶部２２と、
前記降水量予測指数および前記過去の降水日数を雨の情報として提示するとともに、前記風速予測指数および前記過去の平均風速を風の情報として提示する提示部２４とを備えることを特徴とする。
【００７９】
上記構成によれば、雨および風に関する予測データおよび過去データをそれぞれ適切に処理することによって、降水量予測指数および過去の降水日数が雨の情報として提示されるとともに、風速予測指数および過去の平均風速が風の情報として提示されるので、屋外活動の予定日が、屋外活動に適しているか否かの判断を支援できる。
【００８０】
また、一実施形態の屋外活動支援システム１では、
前記演算部２１は、前記過去の降水日数についての偏差値を降水日過去指数として算出するとともに、前記過去の平均風速についての偏差値を風速過去指数として算出し、前記降水量予測指数および前記降水日過去指数を合算することによって降水スコアを算出するとともに、前記風速予測指数および前記風速過去指数を合算することによって風速スコアを算出し、前記降水スコアおよび前記風速スコアのそれぞれを複数のランクに区分けし、
前記提示部２４は、前記降水スコアのランクを前記雨の情報として提示するとともに、前記風速スコアのランクを前記風の情報として提示する。
【００８１】
上記実施形態によれば、必要とされる雨の情報および風の情報を適宜に提供するので、屋外活動に適しているか否かの判断を適切に支援できる。
【００８２】
また、一実施形態の屋外活動支援システム１では、
前記演算部２１は、前記降水スコアと前記風速スコアとの平均を取ることによって総合スコアを算出し、前記総合スコアを複数のランクに区分けし、
前記提示部２４は、前記総合スコアのランクを風雨の情報として提示する。
【００８３】
上記実施形態によれば、当該構成によれば、風雨に関する総合情報を簡潔に提供するので、屋外活動に適しているか否かの判断を適切に支援できる。
【００８４】
また、一実施形態の屋外活動支援システム１では、
前記提示部２４は、前記情報を月めくりのカレンダー形式で提示する。
【００８５】
上記実施形態によれば、１ヶ月単位での情報を一つの表示画面で提供するので、屋外活動に適しているか否かの判断を適切に支援できる。
【００８６】
また、一実施形態の屋外活動支援システム１では、
前記提示部２４は、前記情報に関連付けた色付きで提示する。
【００８７】
上記実施形態によれば、情報を視覚的に分かりやすく提供するので、屋外活動に適しているか否かの判断を適切に支援できる。
【００８８】
また、一実施形態の屋外活動支援システム１では、
前記予測データは、アンサンブル予報によって得られる。
【００８９】
上記実施形態によれば、長期予測でも比較的精度の良い予測データを利用できるので、屋外活動に適しているか否かの判断を適切に支援できる。
【００９０】
また、一実施形態の屋外活動支援システム１では、
前記屋外活動は、無人飛翔体の飛行操縦である。
【００９１】
上記実施形態によれば、雨および風の影響を受ける無人飛翔体の飛行操縦の予定日が、無人飛翔体の飛行操縦に適しているか否かの判断を支援できる。
【００９２】
また、一実施形態の屋外活動支援システム１では、
前記屋外活動は、釣りである。
【００９３】
上記実施形態によれば、雨および風の影響を受ける釣りの予定日が、釣りに適しているか否かの判断を支援できる。
【符号の説明】
【００９４】
１  屋外活動支援システム
３  通信ネットワーク
１０  気象データ提供サーバ
１２  データベース
２０  屋外活動支援装置
２１  制御部（演算部）
２２  記憶部
２３  入力部（予測データ取得部，過去データ取得部）
２４  出力部（提示部）
３１  日にち欄
３２  雨の欄
３３  風の欄
４０  ユーザ端末
４２  表示部
【図１】
2019184554.tif 000014
【図２】
2019184554.tif 000015
【図３】
2019184554.tif 000016
【図４】
2019184554.tif 000017
【図５】
2019184554.tif 000018
【図６】
2019184554.tif 000019